(57)【特許請求の範囲】
【請求項１】
地図データを格納した地図データ格納部と、
地図を表示可能な表示部と、
地図データ格納部から地図データを読み出し、地図として表示部に表示させる表示地図抽出部と、
表示部に表示された地図表示を切替えるための指示を行う表示切替え指示部と、
表示部に現在表示されている地図と次に表示すべき地図との移動方向を検出する移動方向検出部と、
地図表示が切替えられる際、移動方向検出部で検出された移動方向に基づいて、地図表示の切り替え前には次の表示部分の方向が示されるとともに、地図表示の切り替え後には以前の表示部分の方向が示されるように、地図の移動方向を示す情報を表示部に表示させる制御部とを備えてなる地図表示装置。
【請求項２】
制御部が、地図表示の切り替え前後で、重複して表示する部分の面積が一定の面積より小さい場合のみ、地図の移動方向を示す情報を表示部に表示させることを特徴とする請求項１記載の地図表示装置。
【請求項３】
制御部が、地図表示の切り替え前後で、重複している表示領域を認識せしめるような情報を表示部に表示させることを特徴とする請求項１記載の地図表示装置。
【請求項４】
制御部が、地図表示の切り替え前後で、横方向の重なりまたは縦方向の重なりのどちらかが一定の割合より小さい場合のみ、地図の移動方向を示す情報を表示部に表示させることを特徴とする請求項１記載の地図表示装置。
【請求項５】
制御部が、地図の移動方向を示す情報を一定時間のみ表示部に表示させる請求項１〜４のいずれか１つに記載の地図表示装置。
【請求項６】
地図データを格納させる手順と、
地図を表示させる手順と、
地図データ格納部から地図データを読み出し、地図として表示部に表示させる手順と、
表示部に表示された地図表示を切替えるための指示を行わせる手順と、
表示部に現在表示されている地図と次に表示すべき地図との移動方向を検出させる手順と、
地図表示が切替えられる際、移動方向検出部で検出された移動方向に基づいて、地図表示の切り替え前には次の表示部分の方向が示されるとともに、地図表示の切り替え後には以前の表示部分の方向が示されるように、地図の移動方向を示す情報を表示部に表示させる手順とを、コンピュータに実行させるためのプログラムを記録したコンピュータ読み取り可能な記録媒体。
【発明の詳細な説明】
【０００１】
【発明の属する技術分野】
本発明は、コンピュータを用いた地図情報表示機器やナビゲーションシステムのような地図表示装置に関する。
【０００２】
【従来の技術】
車両用のいわゆるナビゲーションシステムや、コンピュータや携帯端末での地図表示装置などでは、その表示画面には一度にすべての地図を表示することができないため、隣接あるいは連続する区域の地図を切り替えて表示する方法を一般的に採用している。この方法としては、たとえば、特開昭６１−９３４８６号公報に記載のように、複数の地図データから隣接する地図を選定し、表示を切り替える装置が知られている。
【０００３】
この地図の表示地域を切り替える操作、あるいはその指示の方法には、操作者がボタンやキー操作または音声などにより意図的に指示する場合と、ＧＰＳなどの装置を使って位置を検出して自動的に行われる場合がある。
【０００４】
また、表示している地図上には含まれない、その他の情報との位置関係を、その地図上に重ね合わせて表示する装置も知られている。たとえば、特開平２−１６７５８７号公報に記載のカーナビゲーションのように、表示装置に自己の現在の車両位置を含まない地域を表示した場合でも、その表示地域と現在の車両との位置関係を認識できるようなインジケートを行う装置が知られている。
【０００５】
また、特開平３−１７６８３号公報に記載のように、ＣＤ−ＲＯＭ等の記憶媒体に走行中の位置の地図がない場合に、地図データが存在する地域の方向を示す表示を行うものも知られている。
【０００６】
【発明が解決しようとする課題】
しかし、これらの方法では、地図表示が切り替わった瞬間に、切り替わる前と切り替わった後の地図の位置関係がわからず、しばしば注目する場所を見失うことがある。
【０００７】
本発明は、このような事情を考慮してなされたもので、表示の切り替え前と切り替え後で、双方の地図の位置関係がわかるようにし、また、表示を切り替える前後で、表示する部分の重複が多い場合には、インジケートの必要がないことを考慮し、必要な場合のみインジケートするようにした地図表示装置を提供するものである。
【０００８】
【課題を解決するための手段】
本発明は、地図データを格納した地図データ格納部と、地図を表示可能な表示部と、地図データ格納部から地図データを読み出し、地図として表示部に表示させる表示地図抽出部と、表示部に表示された地図表示を切替えるための指示を行う表示切替え指示部と、表示部に現在表示されている地図と次に表示すべき地図との移動方向を検出する移動方向検出部と、地図表示が切替えられる際、移動方向検出部で検出された移動方向に基づいて、地図表示の切り替え前には次の表示部分の方向が示されるとともに、地図表示の切り替え後には以前の表示部分の方向が示されるように、地図の移動方向を示す情報を表示部に表示させる制御部とを備えてなる地図表示装置である。
【０００９】
本発明によれば、表示を切り替える前には、これから切り替えようとしている方向を知らしめるためのインジケートを行い、かつ、表示を切り替えた後には、どの方向から切り替えられたかを知らしめるためのインジケートを行うので、これにより、操作者は、表示の切り替え前と切り替え後で、双方の地図の位置関係が視覚的に容易に理解できるようになる。
【００１０】
【発明の実施の形態】
本発明において、地図データ格納部としては、地図データを格納できるものであればよく、ハードディスク装置やＣＤ−ＲＯＭのような外部記憶装置を適用することができる。この地図データは、イメージリーダで読取った地図のイメージデータを地図データ格納部に格納させたものでもよいし、インターネットのような回線を通じて得た地図データを格納させたものでもよいし、当該分野で公知のＧＰＳなどの装置を使って外部の記憶媒体から得た地図データを格納させたものでもよい。
【００１１】
表示部としては、地図を表示可能なものであればよく、液晶表示装置やＣＲＴ表示装置のような各種の表示装置を適用することができる。
【００１２】
表示地図抽出部、移動方向検出部および制御部としては、ＣＰＵ，ＲＯＭ，ＲＡＭ，Ｉ／Ｏポートからなるマイクロコンピュータを適用することができる。
【００１３】
表示切替え指示部としては、表示部に表示された地図表示を切替えることができるものであればよく、タブレット装置や、マウスのようなポインティングデバイス等の各種の公知の指示装置を適用することができる。
【００１４】
上記構成において、制御部は、表示の切り替え前後で、重複して表示する部分の面積が一定の面積より小さい場合のみ、地図の移動方向を示す情報を表示部に表示させるように構成することが好ましい。
【００１５】
このように、表示の切り替え前後で表示する部分の重複量を算出し、その表示領域中での比率を求めることにより、インジケートの必要性の有無を判断することができる。
【００１６】
また、制御部を、表示の切り替え前後で、重複している表示領域を認識せしめるような情報を表示部に表示させるように構成してもよく、さらに、制御部を、表示の切り替え前後で、横方向の重なりまたは縦方向の重なりのどちらかが一定の割合より小さい場合のみ、地図の移動方向を示す情報を表示部に表示させるように構成してもよい。
【００１７】
この制御部は、地図の移動方向を示す情報を一定時間のみ表示部に表示させるように構成することが望ましい。
【００１８】
本発明は、また、地図データを格納させる手順と、地図を表示させる手順と、地図データ格納部から地図データを読み出し、地図として表示部に表示させる手順と、表示部に表示された地図表示を切替えるための指示を行わせる手順と、表示部に現在表示されている地図と次に表示すべき地図との移動方向を検出させる手順と、地図表示が切替えられる際、移動方向検出部で検出された移動方向に基づいて、地図表示の切り替え前には次の表示部分の方向が示されるとともに、地図表示の切り替え後には以前の表示部分の方向が示されるように、地図の移動方向を示す情報を表示部に表示させる手順とを、コンピュータに実行させるためのプログラムを記録したコンピュータ読み取り可能な記録媒体である。
【００１９】
このプログラムは、クライアント側、またはクライアント側とネットワークで接続されたサーバ側に設けられたフロッピーディスク装置や、ＣＤ−ＲＯＭ，ＣＤ−Ｒ，ＣＤ−ＲＷのような光ディスク装置などで書込みおよび読取りが可能な可搬のフロッピーディスク担体または光ディスク担体、あるいはハードディスク装置等の記録媒体に記録されたものを含むものである。
【００２０】
また、このプログラムは、有線回線または無線回線にて接続された、たとえばインターネットのようなネットワークを介して電子的に入手されたものであってもよい。
【００２１】
以下、本発明の実施の形態を図面に基づき説明する。なお、これによって本発明が限定されるものではない。
【００２２】
実施形態１
図１は本発明に係る地図表示装置の実施形態１の構成を示すブロック図である。
この図に示すように、本発明の地図表示装置１は、地図を表示するＬＣＤ等の表示装置２、表示装置２に表示されている地図上あるいはその周辺の任意の位置をタッチペン等で指示するタブレット装置３、タブレット装置３上のペン操作を制御するタブレット制御部４、キー操作による指示を与えるためのキー入力装置５、キー入力装置５を制御するキー制御部６、タブレット装置３またはキー入力装置５による指示操作から移動方向を検出する移動方向検出部７、移動量を検出する移動量検出部８、移動方向と移動量から次に表示すべき位置を決定する表示位置決定部９、表示位置決定部９にて決定した位置の地図データを地図データ格納部１０から抽出する表示地図抽出部１１、移動方向と移動量から移動情報表示データを生成する移動情報表示データ生成部１２、表示地図抽出部１１にて抽出した地図データと移動情報表示データ生成部１２にて生成した移動情報を表示装置２に表示すべく制御する表示制御部１３から構成されている。
【００２３】
この地図表示装置１は、ハードウェアとして、バス１９、表示装置２、タブレット装置３、キー入力装置５の他に、地図情報表示装置１全体を制御するＣＰＵ２０、制御用のプログラム等が格納されたＲＯＭ２１、プログラムを実行するために必要なワークエリア等が格納されているＲＡＭ２２、プログラムおよびデータを記録しておく記録媒体であるＣＤ−ＲＯＭ，ＣＤ−Ｒ，ＣＤ−ＲＷのような光ディスク装置からなる外部記憶装置２３、ハードディスク装置２４等から構成されている。
【００２４】
以下、本実施形態の動作を図２〜図６を用いて説明する。
図２は地図データおよび地図表示の概念を示した図であり、地図データ格納部１０に格納された地図データの一部を示している。
【００２５】
例えば現在、点ＡＢＣＤで囲んだ領域２０が、表示装置２に表示されているものとする。
【００２６】
なお、この実施形態では上下左右および左上、左下、右上、右下の斜め方向への隣接する地図への移動を指示する場合について説明するが、本発明は左やや上といったような移動方向や、隣接せず少し離れた位置への移動の場合、あるいは一部が重なるような移動の場合であっても同様な処理でのインジケートが可能である。
【００２７】
領域２０を表示している状態で、操作者のキー操作またはペンタッチ操作により、隣接する右隣の区域の地図を表示するように指示されたとすると、表示装置２には、最終的に点ＥＦＧＨで囲んだ領域２１を表示するのであるが、その間に領域２０を表示している状態で右隣に表示が切り替わることを知らしめるために、例えば図３のように、矢印３１を操作者が認識できる程度の時間表示し、然る後に、領域２１を表示する。その際にも、左隣から表示が切り替えられたことを知らしめるために、例えば図４のように、矢印４１を操作者が認識できる程度の時間表示した後、この矢印を画面から消去する。
【００２８】
また、キー操作またはペンタッチ操作により、右下の区域の地図を表示するように指示された場合には、図５および図６のように、それぞれ矢印５１、矢印６１を表示することにより、切り替えられる方向を操作者に知らせる。
【００２９】
図７は本実施形態を実現する処理のフローチャートである。
まず、ステップＳ７０１、Ｓ７０２、Ｓ７０３によって、領域２０を表示する。ステップＳ７０４で、キー操作またはペンタッチにより、操作者から何らかの指示が行われるのを待ち、指示があればステップＳ７０５で地図を移動する指示かどうかを判断する。
【００３０】
ステップＳ７０５で地図を移動する指示であると判断した場合は、ステップＳ７０６へ移行して注目位置の移動方向を決定し、ステップＳ７０７で次に表示する地図データおよびそれに付随する情報を地図データ格納部１０から抽出し、移動後の表示に備える。
【００３１】
ステップＳ７０８では、次に表示する地図の方向を示す矢印の表示位置を求めて、現在表示している領域２０の上に重ねて表示する。
【００３２】
操作者に表示を認識せしめるために、ステップＳ７０９で約１秒間待ち、ステップＳ７１０で表示している矢印を消去する。
【００３３】
ステップＳ７１１で、ステップＳ７０７で抽出した地図データ（たとえば領域２１）を表示し、ステップＳ７１２で前に表示していた地図の方向を示す矢印の表示位置を求めて、ステップＳ７１１で表示した地図の上に重ねて表示する。
【００３４】
操作者に表示を認識せしめるために、ステップＳ７１３で約１秒間待ち、ステップＳ７１４で表示している矢印を消去する。
【００３５】
ここでは、矢印の表示時間を約１秒としているが、この時間を任意の時間に設定できるユーザーインターフェースを備えることにより、操作者が要望する時間に変更することが可能である。
ステップＳ７０４に戻り、次の指示操作を待つ。
【００３６】
ステップＳ７０５で地図を移動する指示ではないと判断した場合は、ステップＳ７１５へ移行し、地図表示を終了する指示ならば地図表示を終了し、そうでなければステップＳ７０４に戻り、次の指示を待つ。
【００３７】
次に、ステップＳ７０８とＳ７１２において、移動前および移動後の矢印の位置を求める方法を図８〜図１０を使って説明する。
【００３８】
図８は移動方向の指示を上下と左右で別々に感知するような場合の処理フローである。
ステップＳ８０１では、左右方向に移動すべきかどうかを判断し、ＬＲという変数にその判断結果を代入する。左右方向への移動が無ければそれを示す値（ここではＮｏｎｅと表現する）をＬＲに代入し（ステップＳ８０２）、移動方向が左ならばそれを示す値ＬｅｆｔをＬＲに代入し（ステップＳ８０３）、移動方向が右ならばそれを示す値ＲｉｇｈｔをＬＲに代入する（ステップＳ８０４）。
【００３９】
ステップＳ８０５では、上下方向に移動すべきかどうかを判断し、ＵＤという変数にその判断結果を代入する。上下方向への移動が無ければそれを示す値（ここではＮｏｎｅと表現する）をＵＤに代入し（ステップＳ８０６）、移動方向が下ならばそれを示す値ＤｏｗｎをＵＤに代入し（ステップＳ８０７）、移動方向が上ならばそれを示す値ＵｐをＵＤに代入する（ステップＳ８０８）。
【００４０】
ステップＳ８０９では、代入したＬＲおよびＵＤの変数から図９の組み合わせ表に従って移動前地図上での矢印の表示位置を求め、ステップＳ８１０では、代入したＬＲおよびＵＤの変数から図１０の組み合わせ表に従って移動後の地図上での矢印の表示位置を求める。
【００４１】
実施形態２
図１１は本発明に係る地図表示装置の実施形態２の構成を示すブロック図である。本実施形態は、実施形態１のブロック図（図１）に、処理ブロック１４を追加したものである。
【００４２】
処理ブロック１４は、自分の位置あるいは何かの目標物の位置を検出する位置検出装置１５、位置検出装置１５で得られた位置情報を基に、地図データ格納部１０に必要な地図データが有るか無いかを検索する取込地図データ検索処理部１６、必要な地図データが存在すればその地図データを取り出し、なければ外部から地図データを取り込む地図データ取込処理部１７、外部から取り込んだ地図データを地図データ格納部１０に格納する地図データ格納処理部１８から構成されている。位置検出装置１５は当該分野で公知のＧＰＳのような位置検出装置である。
【００４３】
以下、本実施形態の動作を図１２〜図１６を用いて説明する。
本実施形態では、重複して表示する部分の面積が一定の面積より小さい場合のみ地図の移動方向をインジケートする。
【００４４】
図１２は地図データおよび地図表示の概念を示した図であり、地図データ格納部１０に格納された地図データおよびその周辺の地図を示している。
【００４５】
例えば現在、点ａｂｃｄで囲んだ領域１２０が、表示装置２に表示されているものとし、地図データ格納部１０には、その近辺の地図データは領域１２０以外には格納されていないものとする。さらに、位置検出装置１５で得られた位置情報が領域１２０の領域外で、外部の地図データを検索し、点ｅｆｇｈで囲んだ領域１２１の地図データを取り込んで、その領域１２１の地図を表示装置２に表示するものとする。
【００４６】
以下、この重複して表示する部分の面積が一定の面積より小さい場合のみ地図の移動方向をインジケートする処理例を説明する。
表示を切り替える前後では、実施形態１と同様に、その位置関係を認識せしめるための表示（例えば矢印）を表示することを前提として、図７のステップＳ７０８およびステップＳ７１２の処理に、さらに以下の動作を付加する。
【００４７】
図１３は最初に領域１２０を表示している状態を、図１４は地図取り込み後に表示する地図を領域１２１に切り替えた後の表示状態を示している。図１３中の矩形領域１３１および図１４中の矩形領域１４１は、領域１２０と領域１２１で重複する部分を示している。なお、重複部分の明示はしなくてもよい。
【００４８】
この重複部分の面積が大きい（表示領域全体に近い）ということは、地図データ表示の内容があまり変化しないことを意味している。したがって、そういう場合には、表示を切り替える前後の位置関係を認識せしめる表示を行わず、重複部分が小さい場合にのみ、例えば図１３の矢印１３２、図１４の矢印１４２のように表示を行う。
【００４９】
図１３の矢印１３２は、たとえば画面の中央から移動先の方向への矢印でインジケートした状態を示しており、図１４の矢印１４２は、たとえば移動元から画面中央への矢印でインジケートした状態を示している。
【００５０】
図１７は表示領域の大きさ、表示を切り替える際の移動量を説明するための図であり、表示を切り替える前の表示領域１７１と、表示を切り替えた後の表示領域１７２との関係を示している。また、表示領域全体の横方向の大きさをＸＡ、縦方向の大きさをＹＡ、表示を切り替える際の横方向への移動量をΔＸ、縦方向への移動量をΔＹとする。矩形ｐｑｒｓが表示を切り替える前後で重複する部分である。
【００５１】
図１８は重複部分の面積から表示を切り替える前後の位置関係をインジケートするかどうかを判断する処理例のフローチャートである。この例では、表示領域全体の面積に対する重複する部分の面積の比率がＲ未満ならば、インジケートを行う場合の処理を示している。
【００５２】
たとえば、Ｒ＝０．７５の場合で説明する。まず、ステップＳ１８１で重複する部分の面積を求め（矩形ｐｑｒｓの面積は（ＸＡ−ΔＸ）＊（ＹＡ−ΔＹ））、ステップＳ１８２では表示領域全体の面積を求める（ＸＡ＋ΔＸ）＊（ＹＡ＋ΔＹ））。
【００５３】
ステップＳ１８３では、表示領域全体の面積に対する重複する部分の面積の比率Ｗ／Ａが７５％（＝Ｒ）未満ならば、ステップＳ１８４へ移行して、インジケートを行うことに決定し、比率が７５％（＝Ｒ）以上ならば、ステップＳ１８５へ移行して、インジケートを行わないことに決定する。
【００５４】
図１８のフローチャートにおいて、Ｒを変数とし、これを任意の値に変更できるようなユーザーインターフェースを備えることにより、インジケートを行う条件を調整することが可能である。
【００５５】
実施形態３
本実施形態は、実施形態２に示したシステム構成と同一であるが、図１５および図１６に示すように、重複する領域をグレー又は網掛けなどでインジケートするものである。
【００５６】
本実施形態では、移動前の図１５では、たとえば移動元方向の角１５１から重複領域の角１５２への矢印でインジケートを行い、移動後の図１６では、たとえば重複領域の角１６１から移動先方向の角１６２への矢印でインジケートを行う。なお、図１３および図１４のような矢印の表示で、重複する領域をグレー又は網掛けなどでインジケートするようにしてもよい。
【００５７】
実施形態４
本実施形態も、実施形態２に示したシステム構成と同一であるが、横方向の重なりまたは縦方向の重なりのどちらかが一定の割合より小さい場合のみ、地図の移動方向をインジケートするものである。以下、この処理例を説明する。
本実施形態では、図１３および図１４に示すようにインジケートしてもよいし、図１５および図１６に示すようにインジケートしてもよい。
【００５８】
本実施形態の処理は、実施形態２の図１８で示したフローチャートを、図１９で示すフローチャートに置き換えることにより可能となる。
【００５９】
図１９は重複部分の横方向の重なりおよび縦方向の重なりから、表示を切り替える前後の位置関係をインジケートするかどうかを判断する処理例のフローチャートである。
【００６０】
この例では、横方向の重なりの表示領域全体の横の大きさに対する比率がＲＸ未満、または縦方向の重なりの表示領域全体の大きさに対する比率がＲＹ未満ならば、インジケートを行う場合の処理を示している。
【００６１】
たとえば、ＲＸ＝０．６、ＲＹ＝０．７の場合で説明すると、ステップＳ１９１で、横方向の重なり（図１７のｐ〜ｓ間の距離＝ＸＡ−ΔＸ）をＷＸとして求め、ステップＳ１９２で、縦方向の重なり（図１７のｐ〜ｑ間の距離＝ＹＡ−ΔＹ）をＷＹとして求める。ステップＳ１９３では、横方向の重なりが表示領域全体の横の大きさＸＡの６０％（＝ＲＸ）未満ならばステップＳ１９５へ移行してインジケートを行うことに決定し、そうでなければステップＳ１９４へ移行して縦方向の重なりを判断する。
【００６２】
ステップＳ１９４では、縦方向の重なりが表示領域全体の縦の大きさＹＡの７０％（＝ＲＹ）未満ならばステップＳ１９５へ移行してインジケートを行うことに決定し、そうでなければインジケートを行わないことに決定する。
【００６３】
図１９のフローチャートにおいて、ＲＸおよびＲＹを変数とし、これらを任意の値に変更できるようなユーザーインターフェースを備えることにより、インジケートを行う条件を調整することが可能である。
【００６４】
実施形態５
本実施形態は、横方向の移動のみである場合には、横方向に矢印でインジケートするものである。すなわち、図２０および図２１に示すように、重複する部分がそれぞれ矩形２０１、矩形２１１であって、横方向のみへの移動、すなわち縦方向への移動量が０とみなされる場合には、縦方向の中央部分に矢印２０２で示すようにインジケートを行うか、または矢印２１２で示すようにインジーケートを行う。
【００６５】
同様に、縦方向のみへの移動、すなわち横方向への移動量が０とみなされる場合には、横方向の中央部分に垂直の矢印でインジケートを行う。
【００６６】
【発明の効果】
本発明によれば、ある領域の地図表示から、別の領域の地図表示に切り替わる際に、切り替わる前と切り替わった後の地図の位置関係を容易に認識することができる。また、地図の重複する面積、つまり地図の移動量に応じて、地図の移動方向の表示の有無を判定するようにした場合には、地図の移動方向を示す情報の無用な表示をなくすことができる。さらに、表示の切り替え前と切り替え後で、重複している領域を明示するようにした場合には、操作者は容易に移動量を把握することができる。また、地図の移動方向を示す情報を一定時間だけ表示した後に消去するようにした場合には、地図表示の上に地図情報以外の過渡的な情報が残ることを防ぐことができる。
【図面の簡単な説明】
【図１】本発明に係る地図表示装置の実施形態１の構成を示すブロック図である。
【図２】実施形態１の地図データおよび地図表示の概念を示す説明図である。
【図３】実施形態１の右方向への表示移動前の表示例を示す説明図である。
【図４】実施形態１の右方向への表示移動後の表示例を示す説明図である。
【図５】実施形態１の右下方向への表示移動前の表示例を示す説明図である。
【図６】実施形態１の右下方向への表示移動後の表示例を示す説明図である。
【図７】実施形態１の全体処理を示すフローチャートである。
【図８】実施形態１の矢印表示の位置を求める処理を示すフローチャートである。
【図９】実施形態１の上下左右への移動方向の組み合わせから表示移動前の矢印の表示位置を求めるための組み合わせ表である。
【図１０】実施形態１の上下左右への移動方向の組み合わせから表示移動後の矢印の表示位置を求めるための組み合わせ表である。
【図１１】本発明に係る地図表示装置の実施形態２の構成を示すブロック図である。
【図１２】実施形態２の地図データおよび地図表示の概念を示した図である。
【図１３】実施形態２の右下方向への表示移動前の表示例を示す説明図である。
【図１４】実施形態２の右下方向への表示移動後の表示例を示す説明図である。
【図１５】実施形態３の右下方向への表示移動前の表示例を示す説明図である。
【図１６】実施形態３の右下方向への表示移動後の表示例を示す説明図である。
【図１７】
実施形態３の表示の移動量を示す説明図である。
【図１８】
実施形態２の重複して表示する部分の面積を基にインジケート表示の有無を決
定する処理を示すフローチャートである。
【図１９】
実施形態４の重複して表示する部分の横および縦の重なりの大きさを基にイン
ジケート表示の有無を決定する処理を示すフローチャートである。
【図２０】
実施形態５の右方向への表示移動前の表示例を示す説明図である。
【図２１】
実施形態５の右方向への表示移動後の表示例を示す説明図である。
【符号の説明】
１  地図表示装置
２  表示装置
３  タブレット装置
４  タブレット制御部
５  キー入力装置
６  キー制御部
７  移動方向検出部
８  移動量検出部
９  表示位置決定部
１０  地図データ格納部
１１  表示地図抽出部
１２  移動情報表示データ生成部
１３  表示制御部
１５  位置検出装置
１６  取込地図データ検索処理部
１７  地図データ取込処理部
１８  地図データ格納処理部
１９  バス
２０  ＣＰＵ
２１  ＲＯＭ
２２  ＲＡＭ
２３  外部記憶装置
２４  ハードディスク装置
【図１】
0003576098.tif 000002
【図２】
0003576098.tif 000003
【図３】
0003576098.tif 000004
【図４】
0003576098.tif 000005
【図５】
0003576098.tif 000006
【図６】
0003576098.tif 000007
【図７】
0003576098.tif 000008
【図８】
0003576098.tif 000009
【図９】
0003576098.tif 000010
【図１０】
0003576098.tif 000011
【図１１】
0003576098.tif 000012
【図１２】
0003576098.tif 000013
【図１３】
0003576098.tif 000014
【図１４】
0003576098.tif 000015
【図１５】
0003576098.tif 000016
【図１６】
0003576098.tif 000017
【図１７】
0003576098.tif 000018
【図１８】
0003576098.tif 000019
【図１９】
0003576098.tif 000020
【図２０】
0003576098.tif 000021
【図２１】
0003576098.tif 000022